(57)【要約】【課題】作業内容の確認が行い易い調剤監査支援装置を提供すること。【解決手段】本発明の調剤監査支援装置は、入力部２０と、画像取得部１０と、制御部４０とを備える。入力部２０には、シリンジ識別情報が入力される。画像取得部１０は、シリンジ８０の画像データを取得する。制御部４０は、画像データから得られる、目盛り間の長さ（ｂ）、ガスケット８５の外筒８１の内壁８１ｂとの接触部分８５ｓにおける先端位置８５ａからその先端位置８５ａの隣に配置される目盛り８４ａまでの長さ（ａ）、及び隣に配置される目盛り８４ａの位置（ｍ）と、入力部２０に入力される情報から得られる目盛り分当りの容量（ｖ）と、に基づいて外筒８１内の先端部８１ａからガスケット８５までの空間の容量を算出する。【選択図】図１
2015123205.tif 000002
【特許請求の範囲】
【請求項１】
先端部に注射針が取り付けられる筒状の外筒と、前記外筒内に挿入されるガスケットとを有するシリンジを用いた調剤の監査を支援する調剤監査支援装置であって、
前記外筒に表示されている目盛りの１目盛り分当りの容量に関する情報又は１目盛り分当りの容量を取得するための情報が入力される入力部と、
前記シリンジの画像データを取得する画像取得部と、
前記画像データから得られる、１目盛り間の長さ、前記ガスケットの前記外筒の内壁との接触部分における先端位置からその先端位置の隣に配置される目盛りまでの長さ、及び前記隣に配置される目盛りの位置と、前記入力部に入力される情報から得られる１目盛り分当りの容量と、に基づいて前記外筒内の前記先端部から前記ガスケットの位置までの空間の容量を算出する制御部とを備えた、
調剤監査支援装置。
【請求項２】
前記１目盛り間の長さとは、前記接触部分の前記先端位置の両隣に配置されている目盛りの間の長さである、
請求項１記載の調剤監査支援装置。
【請求項３】
前記シリンジで吸引される薬剤の種類に関する情報が入力される薬剤情報入力部を備え、
前記制御部は、前記算出された容量と前記薬剤の種類を関連付ける、
請求項１記載の調剤監査支援装置。
【請求項４】
前記隣に配置される目盛りとは、前記接触部分の前記先端位置に対して前記外筒の前記先端部側に設けられている目盛りであり、
前記隣に配置される目盛りの位置とは、前記外筒の前記先端部からの目盛りの数である、
請求項１記載の調剤監査支援装置。
【請求項５】
予め設定されている薬剤の調製に関する調剤手順が記憶された調剤手順記憶部を備え、
前記制御部は、
前記調剤手順記憶部に記憶されている前記調剤手順に基づいて、算出された前記薬剤の容量が、正しいか否かを判定する判定部を有する、
請求項１記載の調剤監査支援装置。
【請求項６】
前記算出された容量を印刷する印刷部を備えた、
請求項１記載の調剤監査支援装置。
【請求項７】
前記算出された容量を表示する表示部を備えた、
請求項１記載の調剤監査支援装置。
【請求項８】
予め設定されている薬剤の調製に関する調剤手順が記憶された調剤手順記憶部を備え、
前記制御部は、
前記調剤手順記憶部に記憶されている前記調剤手順に基づいて、前記薬剤の種類及び算出された前記薬剤の容量が、正しいか否かを判定する判定部を有する、
請求項３記載の調剤監査支援装置。
【請求項９】
前記算出された容量及び薬剤の種類を印刷する印刷部を備えた、
請求項３記載の調剤監査支援装置。
【請求項１０】
前記算出された容量及び薬剤の種類を表示する表示部を備えた、
請求項３記載の調剤監査支援装置。
【発明の詳細な説明】
【技術分野】
【０００１】
本発明は、調剤監査支援装置に関する。
【背景技術】
【０００２】
患者個別に薬剤を施用する際、薬剤師、看護師、医師等の医療従事者が調剤手順書に従って複数の薬剤を混合し、調剤を行う場合がある。特に注射薬の調剤を行う際には、調剤後の確認が難しいため、調剤時に複数の薬剤それぞれが調剤手順書で決められた量であることを正確に計量して確認してから混合する必要がある。
そのため、例えば特許文献１では、調剤において液状薬剤をシリンジで吸引する際あるいは粉末状薬剤の容器に加える溶解液をシリンジで吸引する際に、吸引前のシリンジの重量と吸引後のシリンジの重量を測定し、シリンジに正確な液量を吸引しているか否かの判定が行われていた。
【先行技術文献】
【特許文献】
【０００３】
【特許文献１】特開２０１１−０８７９９９号公報
【発明の概要】
【発明が解決しようとする課題】
【０００４】
しかしながら、上記従来の装置では以下の問題点がある。
調剤手順書には一般的に薬剤の容量で作業手順が記載されており、シリンジの外筒には容量を示す目盛りが表示されている。調剤において作業者はシリンジのガスケットを調剤手順書に従った目盛りの位置に合わせることで計量を行う。
そのため、上記従来の装置のように重量を用いて計量作業の判定を行った場合、調剤手順書に記載された容量に従って正しく作業が行われたか否かを確認し難かった。
【０００５】
本発明は、上記従来の課題を考慮して、作業内容の確認が行い易い調剤監査支援装置を提供することを目的とする。
【課題を解決するための手段】
【０００６】
上記目的を達成するために、第１の発明の調剤監査支援装置は、先端部に注射針が取り付けられる筒状の外筒と、外筒内に挿入されたガスケットとを有するシリンジを用いた調剤の監査を支援する調剤監査支援装置であって、入力部と、画像取得部と、制御部とを備える。入力部には、外筒に表示されている１目盛りの目盛り分当りの容量に関する情報又は１目盛り分当りの容量を取得するための情報が入力される。画像取得部は、シリンジの画像データを取得する。制御部は、画像データから得られる、１目盛り間の長さ、ガスケットの外筒の内壁との接触部分における先端位置からその先端位置の隣に配置される目盛りまでの長さ、及び隣に配置される目盛りの位置と、入力部に入力される情報から得られる１目盛り分当りの容量とに基づいて外筒内の先端部からガスケットの位置までの空間の容量を算出する。
【０００７】
これにより、薬剤を吸引したシリンジの目盛とガスケットが示す薬剤の容量を算出することが出来るため、容量で薬剤に対する作業指示が記載されている調剤手順書と比較しやすい。そのため、作業内容の確認を容易に行うことが出来る。
第２の発明の調剤監査支援装置は、第１の発明の調剤監査支援装置であって、１目盛り間の長さとは、接触部分の先端位置の両隣に配置されている目盛りの間の長さである。
【０００８】
シリンジの画像データを撮影すると、レンズの影響等によって撮影した画像データでは、端と中央では１目盛り間の長さが異なることがある。そのため、１目盛り間の長さを、ガスケットの外筒の内壁との接触部分における先端位置が含まれる目盛りの間の長さとすることで、より正確に薬剤の吸引容量を算出することが出来る。
第３の発明の調剤監査支援装置は、第１の調剤監査支援装置であって、シリンジで吸引される薬剤の種類が入力される薬剤情報入力部を備え、制御部は、算出された容量と薬剤の種類を関連付ける。
【０００９】
これにより、作業者が、吸引容量が算出された薬剤の種類を確認する必要がなく、薬剤の種類とその吸引容量をより容易に確認することが出来る。
第４の発明の調剤監査支援装置は、第１の調剤監査支援装置であって、隣に配置される目盛りとは、接触部分の先端位置に対して外筒の先端部側に設けられている目盛りであり、隣に配置される目盛りの位置とは、外筒の先端部からの目盛りの数である。
【００１０】
このように、画像データから、ガスケットの外筒の内壁との接触部分における先端位置からその先端位置に対して外筒の先端部側に設けられている目盛りまでの長さを抽出する。これは、ガスケットの色は一般的に黒色が多いため、先端位置からその先端位置に対して外筒の後端側に設けられている目盛りまでの長さを抽出するよりも抽出しやすいためである。このため、より正確に薬剤の吸引容量を算出することが出来る。
【００１１】
第５の発明の調剤監査支援装置は、第１の発明の調剤監査支援装置であって、予め設定されている薬剤の調製に関する調剤手順が記憶された調剤手順記憶部を備えている。制御部は、調剤手順記憶部に記憶されている調剤手順に基づいて、算出された薬剤の容量が、正しいか否かを判定する判定部を有する。
これにより、算出された薬剤の吸引容量に基づいて調剤監査支援装置が判定を行うため、作業者が調剤手順書に沿って正しく作業が行われたか確認する必要がなく、確認作業にかかる手間をより減らすことが出来る。
【００１２】
第６の発明の調剤監査支援装置は、第１の調剤監査支援装置であって、算出された容量を印刷する印刷部を備える。
これにより、算出された容量を印刷することが出来るため、例えば、調剤記録用紙に印刷物を貼り付ける等することによって、正しい作業内容を行ったエビデンスとして残すことが可能となる。
【００１３】
第７の発明の調剤監査支援装置は、第１の調剤監査支援装置であって、算出された容量を表示する表示部を備えている。
これにより、算出された容量を表示することが出来るため、作業者が、算出された容量を確認しやすい。また、二重チェックを行う際には、二重チェックを行う作業者も確認を行いやすい。
【００１４】
第８の発明の調剤監査支援装置は、第３の調剤監査支援装置であって、予め設定されている薬剤の調製に関する調剤手順が記憶された調剤手順記憶部を備えている。制御部は、調剤手順記憶部に記憶されている調剤手順に基づいて、薬剤の種類及び算出された薬剤の容量が、正しいか否かを判定する判定部を有する。
これにより、薬剤の種類と算出された薬剤の吸引容量に基づいて調剤監査支援装置が判定を行うため、作業者が調剤手順書に沿って正しく作業が行われたか確認する必要がなく、確認作業にかかる手間をより減らすことが出来る。
【００１５】
第９の発明の調剤監査支援装置は、第３の調剤監査支援装置であって、算出された容量及び薬剤の種類を印刷する印刷部を備える。
これにより、算出された容量と薬剤の種類を印刷することが出来るため、例えば、調剤記録用紙に印刷物を貼り付ける等することによって、正しい作業内容を行ったエビデンスとして残すことが可能となる。
【００１６】
第１０の発明の調剤監査支援装置は、第３の調剤監査支援装置であって、算出された容量及び薬剤の種類を表示する表示部を備える。
これにより、算出された容量と薬剤の種類を表示することが出来るため、作業者が、算出された容量と薬品の種類を確認しやすい。また、二重チェックを行う際には、二重チェックを行う作業者も確認を行いやすい。
【発明の効果】
【００１７】
本発明によれば、作業内容の確認が行い易い調剤監査支援装置を提供することが出来る。
【図面の簡単な説明】
【００１８】
【図１】本発明にかかる実施形態の調剤監査支援装置の構成を示すブロック図。
【図２】図１の調剤監査支援装置の画像読取部の構成を示す図。
【図３】図１の調剤監査支援装置において画像データが取得されるシリンジを説明するためのシリンジの拡大図。
【図４】図１の調剤監査支援装置の動作を説明するフロー図。
【図５】本発明にかかる実施形態の変形例の調剤監査支援装置を説明するためのシリンジの拡大図。
【図６】シリンジの変形例を示す拡大図。
【発明を実施するための形態】
【００１９】
本発明にかかる実施形態について図面を参照しながら説明する。
＜１．構成＞
本実施形態の調剤監査支援装置は、医療従事者が調剤手順書に従って作業を行ったか否かの監査を支援する装置であって、調剤手順書に従ってシリンジ内に所定の薬剤を所定容量吸引したか否かの監査を支援する。
【００２０】
以下に、より詳細に説明を行う。
図１は、本実施形態の調剤監査支援装置を示すブロック図である。図１に示すように、本実施形態の調剤監査支援装置は、画像取得部１０と、入力部２０と、薬剤情報入力部３０と、制御部４０と、表示部５０と、印刷部６０と、記録部７０とを備えている。
図２は、本実施形態の調剤監査支援装置の画像取得部の構成を示す図である。図２に示すように、画像取得部１０は、シリンジ８０の画像を撮影するために、カメラ１１と、照明部１２とを有している。
【００２１】
はじめにシリンジ８０の構成について説明した後に、本実施形態の調剤監査支援装置の構成の詳細について説明する。
（１−１．シリンジ８０）
図３は、シリンジ８０の拡大図である。シリンジ８０は、外筒８１と、押し子８２と、注射針８３と、ガスケット８５を有している。外筒８１は円筒形状であって、その先端部８１ａには、注射針８３が装着可能である。また、外筒８１の長手方向には、目盛り８４が表示されている。外筒８１内には、ガスケット８５が挿入されている。また、ガスケット８５は、押し子８２の先端部に取り付けられている。押し子８２は、ガスケット８５を外筒８１の長手方向に移動させる。すなわち、押し子８２を引くことによって外筒８１内をガスケット８５が移動し、外筒８１内に薬剤等が吸引される。
【００２２】
また、ガスケット８５は、その移動方向の両端に中央部分よりも径の大きい接触部８５ｂを有しており、この接触部８５ｂの縁の接触部分８５ｓでガスケット８５は外筒８１の内壁８１ｂと接触する。この接触部分８５ｓのうち先端部８１ａ側の端を先端位置８５ａとする。本実施形態では、先端位置８５ａは、２つの接触部分８５ｓのうち先端部８１ａ側の接触部分８５ｓの先端部８１ａ側の端のことである。
【００２３】
（１−２．画像取得部１０）
図２に示すように、カメラ１１は、照明部１２の上方に配置されており、その間に載置されたシリンジ８０を撮影する。照明部１２は、カメラ１１によって撮影する際に、シリンジ８０を照らす。
シリンジ８０は、目盛り８４が上に向くように載置され、カメラ１１は、シリンジ８０の目盛り８４を含んだ画像を撮影する。具体的には、薬剤容器などに注射針８３を刺して押し子８２を引くことによって外筒８１内に薬剤が吸引され、その状態がカメラ１１によって撮影されることになる。
【００２４】
（１−３．入力部２０）
入力部２０には、シリンジ８０の種類を識別するためのシリンジ識別情報が入力される。シリンジ識別情報とは、例えば、製造販売業者、品番コード等の情報である。これらの入力された情報に基づいて、制御部４０は、後述する第１記憶部４２に記憶されているテーブルから、該当するシリンジの１目盛り分当りの容量（ｃ）に関する情報を抽出する。
【００２５】
（１−４．薬剤情報入力部３０）
薬剤情報入力部３０は、薬剤の識別を行うため薬剤の識別情報を読み取る機能を有する。具体的には、薬剤のバーコードをバーコードリーダで読み取る機能や、薬剤にあらかじめ貼り付けられたＲＦＩＤを読み取る機能などを示す。以下の説明は、薬剤情報入力部にバーコードリーダを用いた例を記載する。
【００２６】
薬剤情報入力部３０は、施用ラベル１０１のバーコード１０１ａを読み取ることによって調剤手順書の内容を認識する。
ここで、調剤手順書の内容としては、例えば、複数の薬剤を輸液容器内に混注し、点滴などで患者に投与する場合が挙げられる。この場合、調剤手順書には、薬剤の種類ごとに容量が示されており、液状薬剤が収納されている薬剤容器から所定量を輸液容器に混注する作業や、粉末状薬剤が収納されている薬剤容器に輸液容器内の溶液を溶解液として所定量注入し、その後輸液容器に混注する作業等が示されている。
【００２７】
そして、薬剤容器から所定量の液状の薬剤を吸引する場合、輸液容器から溶解液として所定量の溶液を吸引する場合、溶解液によって粉末状薬剤が溶解された薬剤容器から所定量の薬剤を吸引する場合にシリンジ８０が用いられる。薬剤の吸引後は別の薬剤容器又は輸液容器に注射針８３を挿入した後に押し子８２が最後まで押し込まれ、シリンジ８０内の薬剤は一息に押し出される。
【００２８】
また、図１に示すように、薬剤情報入力部３０を用いて、薬剤容器１０２に貼られているバーコード１０２ａを読み取ることによって、本実施形態の調剤監査支援装置は薬剤の種類を認識する。すなわち、次作業においてシリンジ８０によって吸引を行い、吸引容量の確認を行う薬剤の種類の認識が行われる。
尚、バーコード１０１ａ及びバーコード１０２ａとしては、１次元に限らず、２次元であってもよい。
【００２９】
（１−５．制御部４０）
画像情報抽出部４１は、画像取得部１０によって取得された画像データから所定の情報を抽出する。ここで、所定の情報とは、図３に示すように、ガスケット８５の先端位置８５ａから先端位置８５ａの外筒８１の先端部８１ａ側であって隣の目盛り８４ａまでの長さ（ａ）、その隣の目盛り８４ａの先端部８１ａ側からの数（ｍ番目）、及びガスケット８５の先端位置８５ａの両隣の目盛り８４ａ、８４ｂ間の長さ（ｂ）である。
【００３０】
第１記憶部４２は、シリンジの種類ごとに１目盛り分当りの容量（ｃ）をテーブルとして有している。シリンジは、規格容量や使用目的等によって目盛りの表示が異なっており、上述したシリンジ識別情報としての製造販売業者や品番コード等ごとに、その１目盛り分当りの容量（ｃ）を記憶したテーブルが第１記憶部４２に記録されている。
目盛り容量特定部４３は、入力部２０に入力されたシリンジ識別情報に基づいて、第１記憶部４２のテーブルを参照し、使用するシリンジ８０の１目盛り分当りの容量（ｃ）を特定する。
【００３１】
吸引容量算出部４４は、上記抽出した情報ａ、ｂ、ｍ、ｃから演算によって、外筒８１内に吸引された薬剤の容量（ｖ）を求める。これらの情報ａ、ｂ、ｍ、ｃ、ｖについての詳細は後述する。
第２記憶部４５は、薬剤情報入力部３０によって読み込まれた調剤手順書の内容を記憶している。
判定部４６は、薬剤の種類及び算出された吸引薬剤容量（ｖ）が、第２記憶部４５に記憶されている調剤手順書の内容と比較して一致しているか否かを判定する。
【００３２】
（１−６．表示部５０）
表示部５０は、薬剤情報入力部３０によって読み取られた薬剤の種類と、その薬剤の算出された吸引容量を表示する。
また、表示部５０は、薬剤情報入力部３０によって読み込まれた調剤作業書の内容を表示してもよい。
更に、判定部４６によって判定された結果が表示されてもよい。
【００３３】
（１−７．印刷部６０）
印刷部６０は、薬剤情報入力部３０によって読み取られた薬剤の種類と、その薬剤の算出された吸引容量を印字する。
例えば、印刷された内容を、調剤記録用紙に貼り付けることによって、作業内容についてのエビデンスとして残すことが出来る。
（１−８．記録部７０）
記録部７０は、薬剤情報入力部３０によって読み取られた薬剤の種類と、その薬剤の算出された吸引容量を記録する。この記録された情報は、作業内容についてのエビデンスとして残すことが出来、例えば、本実施形態の調剤監査支援装置を管理するシステムのサーバ等に転送されてもよい。
【００３４】
＜２．動作＞
次に、本実施形態の調剤監査支援装置を用いた動作について説明する。図４は、本実施形態の調剤監査支援装置の動作を示すフロー図である。
はじめに、図１に示すように、調剤作業書に関する情報を含む施用ラベル１０１のバーコード１０１ａが薬剤情報入力部３０によって読み取られ、調剤作業に関する情報が第２記憶部４５に記憶される（Ｓ１）。
【００３５】
次に、シリンジ８０による薬剤の吸引操作を行う薬剤容器１０２のバーコード１０２ａが薬剤情報入力部３０によって読み取られ、第２記憶部４５に記憶される。これによって、薬剤の吸引作業を行う薬剤の種類が調剤監査支援装置によって認識される（Ｓ２）。
次に、薬剤吸引に用いるシリンジ８０のシリンジ識別情報（製造販売業者及び品番コードの情報）が作業者によって入力部２０から入力される。目盛り容量特定部４３は、この入力されたシリンジ識別情報に基づいて、第１記憶部４２の上述したテーブル（製造販売業者及び品番コードごとに、その１目盛り分当りの容量を記憶したテーブル）を参照して、調剤作業に使用するシリンジ８０の１目盛り当りの容量（ｃ）を特定する（Ｓ３）。図３には、目盛り８４の１目盛りの間隔（隣り合う目盛りともいえる）が８４ｄとして示されている。この１目盛りの間隔８４ｄの容量（ｃ）が特定される。容量（ｃ）としては、例えば０．１ｍＬ、１ｍＬ等が挙げられる。
【００３６】
次に、作業者が外筒８１内にガスケット８５を先端部８１ａまで押し込んだ状態で注射針８３を薬剤容器１０２に挿入してから押し子８２を引くことによって、外筒８１内に薬剤容器１０２から所定量の薬剤が吸引される。そして、この状態のシリンジ８０が、図２に示すように画像取得部１０の所定の位置に載置される。
そして、照明部１２によって下方から照らされたシリンジ８０はカメラ１１によって上方から撮影される（Ｓ４）。
【００３７】
次に、画像情報抽出部４１が、撮影された画像データから３つの情報ａ、ｂ、ｍを抽出する（Ｓ５）。図３において上述したように、（ａ）は、ガスケット８５の先端位置８５ａから、ガスケット８５の先端位置８５ａの外筒８１の先端部８１ａ側であって先端位置８５ａの隣の目盛り８４ａまでの長さのことである。（ｍ）は、最も先端部８１ａ側の目盛り８４を０番目としたときにおける隣の目盛り８４ａの先端部８１ａ側からの数（ｍ番目）のことである。（ｂ）は、ガスケット８５の先端位置８５ａの両隣の目盛りであるｍ番目の目盛り８４ａとｍ＋１番目の目盛り８４ｂの間の長さのことである。
【００３８】
次に、吸引容量算出部４４が、画像データから得られた情報ａ、ｂ、ｍ、及び入力部２０に入力された情報から得られた情報ｃから、薬剤の吸引容量を算出する（Ｓ６）。具体的には、ｍ番目の目盛り８４ａまでの外筒８１内の容量は、ｍ×ｃで求めることが出来る。そして、目盛り８４ａからガスケット８５の先端位置８５ａまでの容量は、（ａ／ｂ）×ｃで求めることが出来る。すなわち、薬剤の吸引容量（ｖ）は、ｍ×ｃ＋（ａ／ｂ）×ｃで求まる。各パラメータの単位は、例えば、ａ、ｂは（ｍｍ）であり、ｃは（ｍＬ／１目盛り）であり、ｖは、例えば（ｍＬ）である。
【００３９】
尚、ガスケット８５の先端位置８５ａが目盛り８４と重なっている場合は、ａが０となるため、その重なっている目盛り８４の先端部８１ａからの数（ｍ番目）の情報と、１目盛り当りの容量（ｃ）から、ｍ×ｃの式で吸引容量を求めることが出来る。
次に、判定部４６が、算出された吸引容量が調剤作業書に記載の作業内容と合っているか否かの判定を行う（Ｓ７）。具体的には、判定部４６は、Ｓ２において読み取られたバーコード１０２ａの情報から、Ｓ６において吸引容量が求められた薬剤の種類を特定できる。この薬剤の種類及び吸引容量（ｖ）が、施用ラベル１０１を読み取って記憶されている調剤作業書の内容に一致しているか否かが判定される。尚、より詳細には、算出された吸引容量（ｖ）が、調剤手順書による当該薬剤の指示容量の許容誤差範囲内に入っているか否かで判断される。
【００４０】
そして、作業内容が正しい場合には、制御部４０は、表示部５０に作業内容が正しい旨を示す表示をさせ（Ｓ８）、１つの薬剤に関する作業内容の監査が終了する。そして、また、次の薬剤容器のバーコードを読み込ませ、Ｓ１〜Ｓ７の動作を行うことによって次の薬剤の作業に関する監査が行われる。尚、シリンジ８０によって吸引されるのは、薬剤容器内の薬剤に限らず、輸液容器内の薬剤であってもよい。
一方、Ｓ７において作業内容が誤っていると判定された場合には、制御部４０は、表示部５０に、作業内容が誤っている旨の表示をさせる（Ｓ８）。
【００４１】
＜３．主な特徴＞
（３−１）
本実施の形態の調剤監査支援装置は、先端部８１ａに注射針８３が取り付けられる筒状の外筒８１と、外筒８１内に挿入されたガスケット８５とを有するシリンジ８０を用いた調剤の監査を支援する調剤監査支援装置であって、入力部２０と、画像取得部１０と、制御部４０とを備える。入力部２０には、シリンジ識別情報（外筒に表示されている目盛りの１目盛り分当りの容量を取得するための情報の一例）が入力される。画像取得部１０は、シリンジ８０の画像データを取得する。制御部４０は、画像データから得られる、１目盛り間の長さ（ｂ）、ガスケット８５の外筒８１の内壁８１ｂとの接触部分８５ｓにおける先端位置８５ａからその先端位置８５ａの隣に配置される目盛り８４ａまでの長さ（ａ）、及び隣に配置される目盛り８４ａの位置（ｍ）と、入力部２０に入力される情報から得られる１目盛り分当りの容量（ｃ）と、に基づいて外筒８１内の先端部８１ａからガスケット８５までの空間の容量（ｖ）を算出する。
【００４２】
これにより、薬剤を吸引したシリンジ８０の目盛とガスケットが示す薬剤の容量（ｖ）を算出することが出来るため、容量で薬剤に対する作業指示が記載されている調剤手順書と比較しやすい。そのため、作業内容の確認を容易に行うことが出来る。
【００４３】
（３−２）
又、上記実施の形態の調剤監査支援装置は、シリンジ８０で吸引される薬剤の種類が入力される薬剤情報入力部３０（薬剤情報入力部の一例）を備えている。
これにより、作業者が、吸引容量が算出された薬剤の種類を確認する必要がなく、薬剤の種類とその吸引容量をより容易に確認することが出来る。
（３−３）
又、上記実施の形態では、予め設定されている薬剤の調製に関する調剤手順が記憶された第２記憶部４５（調剤手順記憶部の一例）を備えている。制御部４０は、第２記憶部４５に記憶されている調剤手順に基づいて、薬剤の種類と算出された容量が、正しいか否かを判定する判定部４６を有する。  これにより、調剤監査支援装置が判定を行うため、薬剤の種類と算出された薬剤の吸引容量に基づいて作業者が調剤手順書に沿って正しく作業が行われたか確認する必要がなく、人為的ミスが発生することを低減することが出来る。
【００４４】
＜４．他の実施形態＞
（Ａ）
上記実施の形態では、入力部２０にシリンジ識別情報が入力され、そのシリンジ識別情報に基づいて、目盛り容量特定部４３が第１記憶部４２に記憶されているテーブルから１目盛り分当りの容量（ｃ）を特定していたが、作業者が直接１目盛り分当りの容量（ｃ）の情報（１目盛り分当りの容量に関する情報の一例）を入力するように構成してもよい。この場合、第１記憶部４２及び目盛り容量特定部４３は設けられていなくても良い。
【００４５】
（Ｂ）
また、上記実施形態では、作業者が入力部２０にシリンジ識別情報を入力しているが、入力部２０が薬剤情報入力部３０と兼ねられていてもよい。この場合、例えば、シリンジ８０の外筒８１又はシリンジ８０が収納されている袋等にバーコードが付されており、このバーコードが薬剤情報入力部によって読み取られる。
【００４６】
（Ｃ）
また、上記実施形態の調剤監査支援装置では、薬剤情報入力部３０が設けられているが、設けられていなくてもよい。この場合、薬剤の種類の確認は作業者が自ら行う必要があるが、シリンジで吸引した量が容量で算出されるため、容量で薬剤に対する作業指示が記載されている調剤手順書と比較しやすく、従来よりも作業内容の確認を容易に行うことが出来る。
尚、このように薬剤情報入力部３０が設けられていない構成であっても、入力部２０の一例としてのバーコードリーダが設けられていても良い。
【００４７】
（Ｄ）
また、上記実施形態では、上記目盛り長さ（ｂ）として、ガスケット８５の接触部分８５ｓの先端位置８５ａの両隣に配置されているｍ番目の目盛り８４ａとｍ＋１番目の目盛り８４ｂの間の長さを用いているが、目盛り８４ａと目盛り８４ｂの間の長さに限らず、他の目盛り８４の間の長さであっても良い。
【００４８】
しかしながら、シリンジ８０の画像データをカメラ１１によって撮影した場合、レンズの影響等によって端と中央では目盛り間の長さが異なることがある。すなわちガスケット８５の先端位置８５ａの両隣の目盛り８４ａと目盛り８４ｂの間と、その他の目盛りの間では長さが異なることがある。より具体的には、例えば、図３に示す０番目と１番目の間の目盛り８４が画像データの端に位置し、ｍ番目の目盛り８４ａとｍ＋１番目の目盛り８４ｂが画像データの中央付近に位置する場合には、０番目と１番目の目盛り８４の間隔の方が、目盛り８４ａと目盛り８４ｂの間隔よりも狭く写ることがある。
【００４９】
そのため、目盛り間８４の長さ（ｂ）として、ガスケット８５の外筒８１の内壁８１ａとの接触部分８５ｓにおける先端位置８５ａの両隣の目盛り８４ａ、８４ｂの間の長さを用いた方が、他の目盛り８４の間の長さを用いるよりも、より正確に薬剤の吸引容量を算出することが出来るため、好ましい。
【００５０】
（Ｅ）
また、上記実施の形態では、画像データから、ガスケット８５の外筒８１の内壁８１ｂとの接触部分８５ｓにおける先端位置８５ａからその先端位置８５ａに対して外筒８１の先端部８１ａ側に設けられている目盛り８４ａまでの長さを抽出しているが、これに限られるものではない。
例えば、図５に示すように、ガスケット８５の外筒８１の内壁８１ｂとの接触部分８５ｓにおける先端位置８５ａからその先端位置８５ａに対して外筒８１の後端側に設けられている目盛り８４ｂまでの長さ（ａ´）を抽出して、薬剤の吸引容量を算出してもよい。
この場合、ｍ＋１番目の目盛り８４ｂまでの容量は、（ｍ＋１）×ｃで求められ、先端位置８５ａから目盛り８４ｂまでの容量は（ａ´／ｂ）×ｃで求められるため、薬剤の吸引容量は、（ｍ＋１）×ｃ―（ａ´／ｂ）×ｃの式で求めることが出来る。
【００５１】
しかしながら、ガスケットの色は一般的に黒色等の濃い色が多いため、先端位置８５ａからその先端位置８５ａに対して外筒８１の後端側に設けられている目盛り８４ｂまでの長さを画像データから抽出するよりも、先端位置８５ａからその先端位置８５ａに対して外筒８１の先端部８１ａ側に設けられている目盛り８４ａまでの長さを画像データから抽出する方が抽出しやすく、より正確に薬剤の吸引容量を算出することが出来る。
【００５２】
（Ｆ）
また、上記実施の形態において説明されたシリンジ８０は、ガスケット８５の先端側が平面状であったが、円錐形状に突出しているものであってもよい。このような形状のシリンジ８０´の構成を図６に示す。図６に示すように、シリンジ８０´のガスケット８５´は、先端に円錐形状部８５´ｃを有しており、外筒８１´の先端部８１´ａもガスケット８５´の形状に合わせて円錐形状に形成されている。
【００５３】
この場合においても、ガスケット８５´の外筒８１´の内壁８１´ｂとの接触部分８５´ｓにおける先端位置８５´ａを基準として、その先端位置８５´ａから先端位置８５´ａの先端部８１´ａ側であって隣の目盛り８４ａまでの長さ（ａ）、その隣の目盛り８４ａの先端部８１´ａ側からの数（ｍ番目）、及びガスケット８５の先端位置８５ａが位置する目盛り８４ａと目盛り８４ｂの間の長さ（ｂ）と、１目盛り分当りの容量（ｃ）に基づいて薬剤の吸引容量（ｖ）を算出すればよい。
【産業上の利用可能性】
【００５４】
本発明の調剤監査支援装置によれば、作業内容の確認が行いやすいという効果を有し、調剤において薬剤を調製する際などに対して広く適用可能である。
【符号の説明】
【００５５】
１０  画像取得部
１１  カメラ
１２  照明部
２０  入力部
３０  薬剤情報入力部
４０  制御部
４１  画像情報抽出部
４２  第１記憶部
４３  目盛り容量特定部
４４  吸引容量算出部
４５  第２記憶部（調剤手順記憶部の一例）
４６  判定部
５０  表示部
６０  印刷部
７０  記録部
８０  シリンジ
８１  外筒
８２  押し子
８３  注射針
８４  目盛り
８４ａ  目盛り
８４ｂ  目盛り
８５  ガスケット
８５ａ  先端位置
【図１】
2015123205.tif 000003
【図２】
2015123205.tif 000004
【図３】
2015123205.tif 000005
【図４】
2015123205.tif 000006
【図５】
2015123205.tif 000007
【図６】
2015123205.tif 000008